Podtech/llm-jp-corpus-v4-ja_patent huggingface dataset:
(57)【要約】      （修正有）【課題】エンジンオイル交換においての事前の内部洗浄を車両ごとのコンディションに応じて対応でき比較的安価で洗浄効果も高く、しかも作業時間も従来の洗浄機器と比較して非常に短時間に作業を完了させることができる簡易型エンジン洗浄機器を提供する。【解決手段】専用の特殊ノズルを介してエンジン内にオイルエレメントをはずしたセンターのオイル通路口とオイルフィラーキャップをはずしたオイル注入口とレベルゲージ穴ノズルを介してエンジン内にエンジンのフラッシング剤を空圧により、エアーと混合した状態で注入し、エンジン内部を洗浄しその後のオイル交換に対応するものである。各注入口にノズルを押し当て逆流しないようにゴム製の円錐型のキャップを取り付ける簡便な仕様となっている。【選択図】図１
0003103420.tif 000002
【実用新案登録請求の範囲】
【請求項１】
主に自動車用潤滑油交換時に内部の洗浄に使用される洗浄剤を簡便に注入し逆流することのないように逆流防止のためのゴム製の円錐ノズルを先端に設けた簡易型エンジン洗浄機器である。
【考案の詳細な説明】
【技術分野】
【０００１】  本考案はエンジンオイル交換においての事前の内部洗浄を車両ごとのコンディションに応じて対応でき比較的安価で洗浄効果も高く、しかも作業時間も従来の洗浄機器と比較して非常に短時間に作業を完了させることができる。
【背景技術】
【０００２】  例えば、整備工場等でエンジン内部の洗浄を行うエンジンオイル洗浄機器を設置する企業もありましたが、車両ごとのアタッチメントの接続作業が複雑で作業時間も長くなりがちである。
【考案の開示】
【考案が解決しようとする課題】
【０００３】  従って、作業員は、エンジン洗浄機器を使用してエンジン内部を洗浄する場合、車両ごとに違うタイプのアタッチメントを、それぞれ洗浄剤を注入する箇所とそれを吸引する箇所の２箇所に接続しなければならない。
【課題を解決するための手段】
【０００４】  ところが、乗用タイプの車種でも年式・型式によりアタッチメントの種類は大変膨大な数にのぼり、更に新車が発売されるたびにそれ専用のアタッチメントが必要になり、接続方法も新たに考案しなければならないといった課題がある。
【考案の効果】
【０００５】  そこで、本考案は上記課題を解決した簡易的なエンジン洗浄機器を提供することを目的とする。
【考案を実施するための最良の形態】
【０００６】  本考案は、エンジンオイル交換時に使用され、専用の特殊ノズルを介してエンジン内にオイルエレメントをはずしたセンターのオイル通路口とオイルフィラーキャップをはずしたオイル注入口とレベルゲージ穴ノズルを介してエンジン内にエンジンのフラッシング剤を空圧により、エアーと混合した状態で注入し、エンジン内部を洗浄しその後のオイル交換に対応するものである。
この簡易型エンジン洗浄機器は各注入口にノズルを押し当て逆流しないようにゴム製の円錐型のキャップを取り付ける簡便な仕様となっている。
【実施例】
【０００７】  図１に本考案になるエンジン洗浄機器の一実施例を示す。【０００８】  洗浄機器は、カプラー７をコンプレッサーとの接続のために使用し、本体フラッシング剤貯蔵タンク６からエアーミックスの状態で耐油性ホース３をとおり逆流防止キャップ２の中心に装置された金具１を通ってエンジン内部に噴霧されるものである。
【図面の簡単な説明】
【０００９】
【図１】本考案の実施例による本機の全体図である。
【図２】先端ノズルの拡大図
【符号の説明】
【００１０】１    金属ノズル
２    ゴム製円錐キャップ
３    耐油性ホース
４    クリーニングガン本体
５    セレクトバルブ
６    フラッシング貯蔵タンク
７    コンプレッサー接続金具
【図１】
0003103420.tif 000003
【図２】
0003103420.tif 000004
(57)【要約】【課題】  靴下を装着して通常の日常生活を送ったときに、レッグ部とフット部との境界にシワが寄り難い靴下を提供する。【解決手段】  靴下１０は、レッグ部１１の軸線Ｌ１と、フット部１２の軸線Ｌ２との交差角度θが約９０°、好ましくは鋭角となるように作られている。【選択図】  図２
0003103426.tif 000002
【実用新案登録請求の範囲】
【請求項１】
レッグ部の軸線Ｌ１とフット部の軸線Ｌ２との交差角度θがほぼ９０°である靴下。
【請求項２】
レッグ部の軸線Ｌ１とフット部の軸線Ｌ２との交差角度θが鋭角である靴下。
【請求項３】
レッグ部とフット部との境界部分が伸縮性に富んだ糸で作られている、請求項１又は２に記載の靴下。
【考案の詳細な説明】
【技術分野】
【０００１】
この考案は靴下に関する。
【背景技術】
【０００２】
図１は、従来の典型的な靴下を示す。従来の靴下１は、レッグ部２の軸線Ｌ１と、フット部３の軸線Ｌ２との交差角θが９０°よりも遙かに大きな鈍角となっている。
【０００３】
このため、特許文献１でも指摘しているように、靴下１を装着して、例えば歩行すると、レッグ部２とフット部３との境界部分にシワが出来てしまうという問題を有している。
【特許文献１】特開平７−１５０４０１号公報
【考案の開示】
【考案が解決しようとする課題】
【０００４】
本考案の目的は、靴下を装着して通常の日常生活を送ったときに、レッグ部とフット部との境界にシワが寄り難い靴下を提供することにある。
【課題を解決するための手段】
【０００５】
かかる技術的課題は、本考案によれば、レッグ部の軸線Ｌ１とフット部の軸線Ｌ２との交差角度θがほぼ９０°、好ましくは鋭角である靴下を提供することにより達成される。
【０００６】
すなわち、人間が起立姿勢を取ったときに、人間のレッグ部とフット部との交差角度はほぼ９０°であり、したがって、この角度とほぼ同じになるように靴下のレッグ部の軸線とフット部の軸線との交差角度をほぼ９０°、好ましくは鋭角に設定することにより、靴下のレッグ部とフット部との境界にシワが発生し難くすることができる。
【考案を実施するための最良の形態】
【０００７】
図２は、実施例の靴下１０を示す。靴下１０は、従来と同様に、レッグ部１１とフット部１２とを有し、レッグ部１１の上端に位置する履口部１３から足を挿入することにより装着することができる。
【０００８】
靴下１０は、レッグ部１１の軸線Ｌ１と、フット部１２の軸線Ｌ２との交差角度θが約９０°、好ましくは鋭角となるように作られている。
【０００９】
これにより、靴下１０を装着したときには、人間の足と脚との角度とほぼ近似しているため、レッグ部１１とフット部１２との境界部分１４にシワが寄り難くなる。したがって、人間が装着したときの見栄えが良くなるだけでなく、シワが肌に触れることによる不快感を無くすることができる。
【００１０】
図３は変形例を示す。この変形例の靴下２０は、レッグ部１１とフット部１２との境界部分１４が、例えばゴム糸のような伸縮性に富んだ糸で作られている。これによれば、境界部分１４の伸縮性によりシワの発生を一層防止することができる。このように伸縮性に富んだ糸を編み込んだ部分は、図示のようにレッグ部１１とフット部１２との境界の前側だけでもよいが、レッグ部１１とフット部１２との境界の全周に亘って設けてもよい。
【図面の簡単な説明】
【００１１】
【図１】従来の典型的な靴下の側面図である。
【図２】実施例の靴下の側面図である。
【図３】変形例の靴下の側面図である。
【符号の説明】
【００１２】
１０    靴下
１１    靴下のレッグ部
１２    靴下のフット部
１３    靴下の履口部
１４    レッグ部とフット部との境界部分
Ｌ１    レッグ部の軸線
Ｌ２    フット部の軸線
θ    Ｌ１とＬ２との交差角度
【図１】
0003103426.tif 000003
【図２】
0003103426.tif 000004
【図３】
0003103426.tif 000005
(57)【要約】【課題】    本考案は、インスタント食品の形状を変え、数種類の物をひとつにまとめる事により、諸々の繁雑さを省く事が出来る。【解決手段】  本考案は、従来の顆粒状、又は粉末、固形状のインスタント食品をシート状にし、１シートを１ページに見立て、ブック型にまとめる事により家庭内の台所で料理本を見る様に好みのインスタント食品を選ぶ事が出来るようにしたものである。【選択図】  図２
0003103423.tif 000002
【実用新案登録請求の範囲】
【請求項１】
シート状に出来るインスタント食品をシート状にし、一枚を一ページと見立て、本の形状にしたブック型のインスタント食品。
【考案の詳細な説明】
【考案の詳細な説明】
【技術分野】
【０００１】  本考案は、シート状にしたインスタント食品をまとめて一冊の本の形状にしたインスタント食品に関する物である。
【背景技術】
【０００２】  現在販売されているインスタント食品は殆どが顆粒状や固形のものを袋詰めにした物を箱に入れて販売されている。
【考案が解決しようとする課題】
【０００３】  従来のインスタント食品は殆どが顆粒状の物は一食ずつ袋に小分けされており、固形の物は一つ一つ紙に包まれており、その度にゴミがでて資源の無駄使いである。従って一枚のシート状にしてまとめる事により、顆粒状の物は零れる心配もなく、また、ゴミの削減にもつながる事が可能になり前述の欠点を解決しようとするものである。
【課題を解決するための手段】
【０００４】  本考案は、インスタント食品を一枚のシート状にし、そのシート状のインスタント食品を何枚か作り一冊の本の形状にする。またシート状にする事によってインスタント食品をこぼす事無く容易に調理する事が可能になり問題点を解決している。
【考案の実施形態】
【０００５】  インスタント食品をシート状にし、一ページ四人前とした場合、四等分に切り分けられる様、縦横にミシン線を入れる。シート状にしたインスタント食品を一冊分にまとめる。それぞれのシートに出来上がり図（写真）と食品名を食品衛生法に基づいた色素で印刷する。
【実施例】
【０００６】  以下、添付図面に従って一実施例を説明する。図１は表紙装丁例。１はタイトル。２は図、又は写真。表紙裏に目次を入れる。【０００７】  図２は内容説明図。３はインスタント食品本体。４は保存袋。５は中身が無くなり保存袋として使用する場合に切り取るミシン線。６は保存袋開閉口。７は食品名。８図、又は写真。９は１人分ずつに分けるミシン線。
【考案の効果】
【０００８】  上述の様に、本考案の食べる本は数種類のインスタント食品の詰め合せですが、一冊の本の形にまとめる事により収納を容易にし、料理雑誌などを見るが如く楽しみながら選ぶ事が出来ます。贈答品としても意外性があり、喜ばれるものと思われます。
【図面の簡単な説明】
【図１】  本考案の本としての外装図である。
【図２】  １ページごとの具体的な説明図である。
【符号の説明】
１  タイトル
２  図、又は写真
３  インスタント食品本体
４  保存袋
５  保存袋切り取りミシン線
６  保存袋開閉口
７  食品名
８  図、又は写真
９  １人分ずつに分けるミシン線
【図１】
0003103423.tif 000003
【図２】
0003103423.tif 000004
(57)【要約】【課題】  従来の生理用ナプキン、又それをガードするショーツ等では、長時間の使用において漏れを生じ、着衣や寝具などを汚してしまうといった問題点が生じた。【解決手段】  本考案は、股下を約７ｃｍ部分まで伸ばした紙おむつ式パンツで、生理用ナプキン等との併用により経血漏れを防止するものである。【選択図】  図１
0003103439.tif 000002
【実用新案登録請求の範囲】
【請求項１】
従来の生理用ナプキン等と併用する事により、長時間の使用においても経血漏れを防止する股下部分を伸ばした生理用紙おむつ。
【考案の詳細な説明】
【考案の詳細な説明】
【技術分野】
【０００１】本考案は、女性が生理期間中に使用する生理用パンツに関するものである。
【背景技術】
【０００２】生理用ナプキン、及び生理用ショーツなどの漏れ防止用品
【考案が解決しようとする課題】
【０００３】従来の生理用ナプキン、又それをガードする生理用ショーツ等では、就寝中、長時間のドライブ時などの使用において漏れを生じ、着衣や寝具などを汚してしまうといった問題点が生じた。
【課題を解決するための手段】
【０００４】本考案は、股下約７ｃｍ部分まで伸ばし、開口部にギャザーを取り付けたボクサー型の生理用紙おむつで、これによって、より吸収力を増し、市販の生理用ナプキン等との併用により漏れを防ぎ上記課題を解決するものである。
【図面の簡単な説明】
【図１】      本考案に係る生理用紙おむつの正面図である。
【符号の説明】
１  紙おむつ本体
２  ギャザー部分
３  生理用ナプキン
【図１】
0003103439.tif 000003
(57)【要約】【課題】  １台の自転車で走行と放水を別々に人力により行えるようにする。【解決手段】  フレーム１に走行駆動用ペタル４と放水駆動用ペダル８を別々に設け、人力により、走行駆動用ペダルの回動で走行、放水駆動用ペダルの回動でポンプ６を介し放水銃１０よりの放水を出来るようにした。【選択図】  図１
0003103440.tif 000002
【実用新案登録請求の範囲】
【請求項１】
「フレーム１に支えられた前輪２と後輪３を有する放水自転車において、
（１）前記フレームの下部に回動可能に設けた走行駆動用ペダル４と駆動力を後輪に伝えるベルトＡ５。
（２）前記フレームの下部に設けたポンプ６と回動動作によりベルトＢ７を介しポンプを回動させる、放水駆動用ペダル８。
（３）前記フレームの前部に回動可能に設けたハンドル９とハンドルに左右、上下回動可能に設けた放水銃１０。
（４）前記フレームに設けた給水用フック１１と給水用フックに引っ掛けた給水用バケツ１２。
（５）上記ポンプと放水銃を繋ぐホースＡ１３、ポンプと給水バケツを繋ぐホースＢ１４。
を有した放水用自転車」
【考案の詳細な説明】
【考案の詳細な説明】
【考案が解決しようとする課題】
【０００１】  従来、放水用自転車として、１つのフレームに走行用駆動部と放水用駆動部を別々に設け、人力による走行と放水が個々にできる物は存在せず、エンジン、モータ等の何らかの補助動力を必要とする物であった。
又、放水銃はフレームに取付けられ放水方向が簡単に変えられなかった。
【課題を解決するための手段】
【０００２】  上記目的を達成するために、１つのフレームに走行用駆動部と放水用駆動部を別々に設け、人力による走行と放水を個々に行えるようにした。
走行駆動用ペダルを回動させることにより走行が可能。
放水駆動用ペダルを回動させることによりベルトを介しポンプを回動、ポンプに接続されたホースＢより給水用バケツの水をポンプに吸上げる、吸上げられた水はポンプと放水銃を繋ぐホースＡに導かれ放水銃より放水を行う。
放水銃を、フレーム前部の回動可能なハンドルに設け放水方向が簡単に変えられるようにした。
「この時放水用自転車の形態として
（１）２つの前輪１つの後輪を有した放水用自転車。
（２）１つの前輪２つの後輪を有した放水用自転車。
（３）２つの前輪２つの後輪を有した放水用自転車。
が考えられる」
【考案の効果】
【０００３】  走行のみ、放水のみ、走行と放水の３形態を１台の自転車で人力により行うことができ、バケツリレー等による消火に比べ離れた場所、狭い場所等での初期消火に効果大である。
構成部品が少ないため安価、故障頻度が少ない等の特長を有し、また持ち運びが簡単なため防災教育用の用具としの利用性大である。
【図面の簡単な説明】
【図１】本案の、２つの前輪と１つの後輪を有した放水用自転車の斜視図である。
【図２】本案の、１つの前輪と２つの後輪を有した放水用自転車の斜視図である。
【符号の説明】
１  フレーム
２  前輪
３  後輪
４  走行駆動用ペダル
５  ベルトＡ
６  ポンプ
７  ベルトＢ
８  放水駆動用ペダル
９  ハンドル
１０  放水銃
１１  給水用フック
１２  給水用バケツ
１３  ホースＡ
１４  ホースＢ
【図１】
0003103440.tif 000003
【図２】
0003103440.tif 000004
(57)【要約】【課題】見た目に美しく、且つ簡単に健康維持を行えるマッサージ効果を具有するローリングボール付き指輪の構造を提供する【解決手段】リング１０の周囲に複数の貫通孔２０を設け、該貫通孔２０にローリングボール３０を緊密に嵌入し、該ローリングボール３０を人体に当てて転がすことにより、健康に有意義なつぼに刺激を与える。【選択図】        図１
0003103457.tif 000002
【実用新案登録請求の範囲】
【請求項１】
ローリングボール付き指輪の構造において、
リングを具有し、該リングの周囲には貫通孔が設けられており、且つ該貫通孔内にはローリングボールが嵌入されており、
該ローリングボールを人体のつぼに当てて転がすことによりつぼを適度に刺激し、血行循環を促して健康維持の目的を達成することを特徴とするマッサージ効果を具有するローリングボール付き指輪の構造。
【請求項２】
該貫通孔の内径は該ローリングボールの外形よりやや大きく設計し、該貫通孔に緊密に嵌入された該ローリングボールは該貫通孔にて回転するが外れ落ちないことを特徴とする請求項１記載のマッサージ効果を具有するローリングボール付き指輪の構造。
【請求項３】
該リングの直径の大きさは、使用する人の指のサイズによって決定され、また外観のデザインも美感に訴えるような各種所望のデザインとすることを特徴とする請求項１記載のマッサージ効果を具有するローリングボール付き指輪の構造。
【考案の詳細な説明】
【技術分野】
【０００１】
本考案はローリングボール付き指輪の構造に係り、特に該ローリングボールを人体に当てて転がすことによりつぼを刺激し、健康維持を促すためのマッサージ効果を具有するローリングボール付き指輪の構造に関わる。
【背景技術】
【０００２】
公知における指輪の用途としては、装飾用、或いは古来から伝えられるような魔除けなどの目的として古くから使用されてきたものである。
またこれとは別に、慌しく日々を過ごす現代人にとって、成人病や文明病といわれるいわゆる現代病の脅威に脅かされていることから健康維持が非常に重視されており、この健康維持のために多大な金額を費やし、大掛かりな装置を購入したりする者も少なくない。
【考案の開示】
【考案が解決しようとする課題】
【０００３】
しかし上述のような指輪の欠点として、用途が装飾用等だけであることにおいて、実用性にまだまだ欠けること、並びに人々が健康維持にかける費用及び装置が生活の負担になっていること等が挙げられる。
そこで見た目に美しく、且つ簡単に健康維持を行える本考案のマッサージ効果を具有するローリングボール付き指輪の構造を提供する。
【課題を解決するための手段】
【０００４】
リングの周囲に複数の貫通孔を設け、該貫通孔にローリングボールを緊密に嵌入し、該ローリングボールを人体に当てて転がすことにより、健康に有意義なつぼに刺激を与える。
【考案の効果】
【０００５】
本考案によると、従来のものよりも効果的につぼを刺激することができるようになり、簡単に日常の健康維持が行えると同時に、見た目にも美しく、また価格が安い等の多数の利点を提供することに成功した。
【考案を実施するための最良の形態】
【０００６】
図１から図７に示すように、本考案にはリング１０を含み、該リング１０の周囲には貫通孔２０が複数設けられており、該貫通孔２０内にはローリングボール３０が嵌入されており、該ローリングボール３０が転がることにより、人体のつぼに刺激を与えるものである。
該貫通孔２０内径は該ローリングボール３０の外径よりやや大きく設計されていることにより、該ローリングボール３０が緊密に嵌入された後、該ローリングボール３０は外れ落ちず、且つ該貫通孔２０内にてスムーズに回転するようになっている。
また該リング１０の直径は本考案を指にはめる者のサイズに合わせて各種サイズに設計されたものとし、また外観は美感に訴えるような各種デザインを提供する。
【０００７】
本考案を組み立てる際には、該リング１０に設けられた貫通孔２０に該ローリングボール３０を嵌入することにより組み立てが完成し、製造コストを抑える。
使用時には図５から図７に示すように、該ローリングボール３０を指４０や手５０のつぼに当てて転がすことで、血行促進の効果を提供する。
更に、各該ローリングボール３０は、該リング１０の各異なる高さに設けられた該貫通孔２０上に嵌入されることにより、従来のように等しい高さに設けられたものに比べ、回転時に数個のつぼを刺激することができる。
【０００８】
図８のつぼ参考図に示すように、漢方において手のつぼを刺激することには、以下の効果がある。
A（脊柱点）：肩こりや椎間損傷、腰痛、耳鳴り、鼻詰まり。
B（液門）：頭痛や咽喉痛、耳の聞こえ、手腕の痛み、指の腫れや痛み、眩暈や歯痛、結膜炎、腰痛や背部の痛み等。
C（退熱点）：発熱や目の疾病。
D（二間）：歯痛や咽喉痛、鼻の出血、顔面不随、三叉神経痛、熱病、目が黄色い、口の乾燥、斜視、便秘。
E（遼巣）：子宮の痛みや腫瘍、炎症、及び月経不順、おりもの、輸卵管不通、子宮異常、尿過多、陰門の腫れ、胎動不安、卵巣病。
F（指掌）：不眠症、精神分裂、記憶力減退。
G（心常）：心臓病や心臓性リューマチ。
H（中間）：動機息切れ、ひざの痛み、頭痛や眩暈、各種痛み。
I（手八掌）：掌の腫れ、指の屈伸不順、眼球の腫れや痛み、夜尿症。
以上の参考データからもわかるように、つぼを刺激することにより、指や手のみならず、体全体への健康維持効果が得られる。
【図面の簡単な説明】
【０００９】
【図１】本考案における立体分解図である。
【図２】本考案における組み立て後の立体図である。
【図３】本考案における展開図である。
【図４】本考案における断面図である。
【図５】本考案における実施状態を示す図（１）である。
【図６】本考案における実施状態を示す図（２）である。
【図７】本考案における実施状態を示す図（３）である。
【図８】手のつぼを示す参考図である。
【符号の説明】
【００１０】
１０  リング
２０  貫通孔
３０  ローリングボール
４０  指
５０  手
【図１】
0003103457.tif 000003
【図２】
0003103457.tif 000004
【図３】
0003103457.tif 000005
【図４】
0003103457.tif 000006
【図５】
0003103457.tif 000007
【図６】
0003103457.tif 000008
【図７】
0003103457.tif 000009
【図８】
0003103457.tif 000010
(57)【要約】【課題】使用によって、粒と乳房が接触し、使用者の動きによってマッサージ作用を具え、新陳代謝を促進し、また快適性が向上するブラジャーの構造を提供する。      【解決手段】ブラジャーの構造は、本体を含み、その本体は挟着層、内層及び外層から構成される。この挟着層の第二面には複数の粒が成型される。また、内層の相対する位置にも同様の複数の粒が成型され、挟着層と内層を合わせ、この二者を相互に貼り合わせる。続いて外層と挟着層第一面を貼り合わせ、最後に縫い合わせて一体にする。【選択図】図１  
0003103458.tif 000002
【実用新案登録請求の範囲】
【請求項１】
対称構造で、そのうち主体が挟着層、内層、外層から構成されたブラジャーの構造において、
第一面及び第二面を具え、第二面には複数の粒が成型される挟着層と、
挟着層の第二面に対応して貼り合わさる内層と、
挟着面の第一面に対応して貼り合わさる外装から構成され、
上述の挟着層、内層、外層の三者がブラジャー本体に縫い合わされることを特徴とするブラジャーの構造。
【請求項２】
前記内層は、挟着層の粒と対応する粒が設置され、その内層は粒によって挟着層第二面の粒に対応し、貼り合わさることを特徴とする請求項１記載のブラジャーの構造。
【考案の詳細な説明】
【技術分野】
【０００１】
本考案は、ブラジャーの構造に関するもので、カップ内に粒を備えた内層構造である。
【背景技術】
【０００２】
ブラジャーは、女性の第二の肌と言われ、直接乳房に接触する。このため、ブラジャーの選択を軽視してはならない。基本材質の快適性、サイズが合うかどうかの他に、更に多機能デザインが業者によって研究開発されてきた。現代女性の基本要求には健康と美容効果を具えたものが求められている。
【０００３】
公知のブラジャーカップ構造は、添付書類１に示すとおり、外層布、内層布を含み、内層布と外層布の間にはパッドが設置される。このパッドは異なる材質が使用され、例としてシリコン、スポンジ、液体、固体等の充填物が詰められる。その材質が何であれ、内層布及び外層布、パッドは全て平らであり、支え、固定する機能があるだけで、その他の附加価値を具えない。
【特許文献１】台湾  実用新案公示第３１９９７１号
【考案の開示】
【考案が解決しようとする課題】
【０００４】
解決しようとする問題点は、公知のブラジャー構造は平凡で、ただ最外層の布に変化があるだけで、新しさに欠ける点である。
【課題を解決するための手段】
【０００５】
本考案は、本体を含み、その本体は挟着層、内層及び外層から構成される。この挟着層の第二面には複数の粒が成型される。また、内層の相対する位置にも同様の複数の粒が成型され、挟着層と内層を合わせ、この二者を相互に貼り合わせる。続いて外層と挟着層第一面を貼り合わせ、最後に縫い合わせて一体にすることを最も主要な特徴とする。
【考案の効果】
【０００６】
本考案のブラジャーの構造を使用することによって、粒と乳房が接触し、使用者の動きによってマッサージ作用を具え、新陳代謝を促進し、また快適性が向上する。また、この粒と使用者の乳房間には隙間が形成され、この隙間によって通気性が高まり、蒸れず、長時間着用しても快適性が損なわれないという利点がある。
【考案を実施するための最良の形態】
【０００７】
図１、図２に示すとおり、本考案は、主に本体１０を含み、本体１０は左右対称で、挟着層２０、ブラジャー内層３０、ブラジャー外層４０を含む。
挟着層２０には、第二面２１及び第一面２２から構成される。この第二面には複数のマッサージ作用を具えた粒２３が成形される。
ブラジャー内層３０にも複数の粒３１が成形され、内層３０と挟着層２０の第二面２１を貼り合わせると、粒３１と粒２３が相互に合わさる。
外層４０は、挟着層２０の第一面２２に対応し、相互に合わさる。
【０００８】
上述の挟着層２０の第二面２１と内層３０を貼り合わせた後、粒２３と粒３１が相互に合わさった状態になり、他に挟着層２０の第一面２２を外層４０に貼り合わせ、ブラジャー本体１０に縫い合わせる。
【０００９】
本考案の挟着層２０は、軟質材を適する形状に裁断し、金型を中に入れ、図３から図５に示すとおり、一定の温度と圧力を加えると、挟着層２０の第二面２１には粒２３が成形され、内層３０も同じ方法で粒３１を成型する。
【００１０】
図６，７に示すとおり、本考案を使用する時、粒はやや突出しており、このため乳房がこの突起に接触し、使用者の動きにより、乳房に対して自然のマッサージが施され、血液を活発にして、新陳代謝を促す作用がある。また本考案を着用することによって、快適で健康を追求することができる。更に乳腺を刺激し、豊胸効果も具える。
また、本考案は、使用者の乳房と粒の間に隙間ができるように設計されているため、通気性に優れ、蒸れることがなく、長時間つけていても快適さを損なわない。
【図面の簡単な説明】
【００１１】
【図１】本考案の構造分解図である。
【図２】本考案の指示図である。
【図３】本考案の製作工程流れ図である。
【図４】本考案の製作工程流れ図である。
【図５】本考案の製作工程流れ図である。
【図６】本考案の断面図である。
【図７】本考案の使用状態断面図である。
【符号の説明】
【００１２】
１０        本体
２０        挟着層
２１        第二面
２２        第一面
２３        粒
３０        内層
４０        外層
【図１】
0003103458.tif 000003
【図２】
0003103458.tif 000004
【図３】
0003103458.tif 000005
【図４】
0003103458.tif 000006
【図５】
0003103458.tif 000007
【図６】
0003103458.tif 000008
【図７】
0003103458.tif 000009
(57)【要約】【課題】コード配線を不要にし、かつ特別なスピーカの取り付け等の煩雑な作業が不要であって、携帯電話機本体のディスプレーを見ることなく、自動車を運転中にメールが到着したことを、安全に運転者に知らせることを可能にする。【解決手段】 携帯電話機に着信したメールを読み上げるソフトウエア１と携帯電話機２のインターフェス３を経由して得られた音信号をＦＭ変調器４でＦＭ波に変調して、自動車に搭載されている車載用ＦＭ受信機５に対して無線回路６によって、所定の商業放送において使用されている周波数帯域以外の周波数によって無線送信する。受信した車載用ＦＭ受信機５では接続されているスピーカ７によって、携帯電話機のソフトウエア１が読み上げた内容を車内に発するようにする。【選択図】  図１
0003103482.tif 000002
【実用新案登録請求の範囲】
【請求項１】
携帯電話が受信したメールを読み上げるソフトウエア、及び携帯電話機に接続するインターフェス部と携帯電話機からの音信号をＦＭ波に変調するＦＭ変調器と、自動車に搭載されている車載用ＦＭ受信機に対して無線送信するための無線回路とを備えたことを特徴とする携帯電話機用付属機器からなる安全運転支援システム。
【考案の詳細な説明】
【技術分野】
【０００１】
本考案は、Ｅメールの送受信が可能な携帯電話機に適用され、特に、自動車の運転者が、携帯電話機本体を手で持っていない状態であっても、受信したメールの内容がわかるようにした携帯電話機上のソフトウエアと携帯電話機用付属機器を組み合わせた安全運転支援システムに関するものである。
【背景技術】
【０００２】
前記携帯電話機は、その利便性から、様々な場所で使用されている。さらに、通話だけではなく、Ｅメールの送受信を行える携帯電話機の登場により、その利用分野は飛躍的に広がっている。しかし、近年、特に、自動車内における携帯電話機の使用方法における問題が安全上の観点から、指摘されている。その中で、特に問題なのが、自動車を運転しているときに、着信したＥメールの内容を早く確認したいあ
まりに、運転しながら、片手で携帯電話機を持って画面を確認し、他方の腕だけでハンドルを操作することによる事故の発生である。
【考案の開示】
【考案が解決しようとする課題】
【０００３】
現在、携帯電話機の機能として、Ｅメールの着信を音で知らせてくれる機能は存在する。しかしながら、運転者は、Ｅメールの内容やＥメールの送信者を早く確認したいことから、運転中にも関らず、携帯電話の画面をみることが多い。これは、運転者にとって、非常に危険な行為である。
【０００４】
携帯電話機に着信した時点で、携帯電話機のスピーカで読み上げることも可能であるが、携帯電話本体のスピーカで聞こえるようにするために、運転者の近くに置いておかねばならず、また、携帯電話のスピーカでは、音量が小さく、聞き取れないケースもある。
【０００５】
スピーカーなどをコードで接続する方法では、その配線処理が煩雑であり、運転者に取って、運転の妨げとなり、安全上、問題がある。
【０００６】
そこで、本考案の目的は、コードレスであり、コード配線を不要にし、かつ特別なスピーカの取り付け等の煩雑な作業が不要であって、片腕で携帯電話機本体を持つことなく、メールの内容の確認を可能にした携帯電話機用付属機器を提供することにある。
【課題を解決するための手段】
【０００７】
前記目的を達成するため、本考案の安全運転支援システムは、携帯電話内のソフトウエアによって携帯電話機のメールを読み上げ、その音声信号をＦＭ波に変調して、自動車に搭載されている車載用ＦＭ受信機に対して所定の周波数によって無線送信するようにしたものであって、このため、運転者をハンドフリーの状態でメールの内容を確認でき、しかも本付属機器を使用する際にコード配線は不要であり、さらに既に自動車に搭載されている車載用ＦＭ受信機を利用するため、別途スピーカを設置する必要もない。
【考案の効果】
【０００８】
以上説明したように、本考案の安全運転支援システムによれば、運転者は、携帯電話機本体を持つことなく、車載用ＦＭ受信機を利用して、着信したＥメールの内容を確認することができるため、片手運転をなくすことができ、安全な運転が行えるようになる。
【０００９】
また、本付属機器を使用するために、携帯電話機と車載用ＦＭ受信機とを無線伝送するためコード配線は不要であり、かつ特別なスピーカの取り付け等の煩雑な作業も不要である。
【実施例】
【００１０】
本考案の請求項１に記載の考案は、携帯電話機と接続する為のアダプター部と、携帯電話機からの音信号ＦＭ波に変調するＦＭ変調器と、自動車に搭載されている車載用ＦＭ受信機に対して所定の商業放送において使用されている周波数帯域以外の周波数によって無線送信するための無線回路とを備えたものであって、この構成により、運転者が携帯電話機を手で持たなくても車載用ＦＭ受信機を利用して、着信したＥメールの内容を聞くことができる。  さらに車載用ＦＭ受信機に接続されたスピーカを利用できるため、別途スピーカの設置は不要になり、しかも車載用ＦＭ受信機への無線送信であるので煩雑なコード配線も不要になる。
【図面の簡単な説明】
【００１１】
【図１】本考案の構成図
【符号の説明】
【００１２】
１：携帯電話機に着信したメールを読み上げるソフトウエア
２：携帯電話機
３：インターフェス
４：ＦＭ変調器
５：自動車に搭載されている車載用ＦＭ受信機
６：無線回路
７：スピーカー
【図１】
0003103482.tif 000003
(57)【要約】      （修正有）【課題】犯人の気ずかない状態で誤作動を避け、警察に確実に通報できる非常事態の通報装置を提供する。【解決手段】店舗１内のレジ・カウンター等、店員あるいは従業員の作業位置近傍であって、かくれた位置に、非常ボタン２、集音マイク４を一または複数個と、犯罪発生時に、非常ボタンにて通報済みを知らせる表示灯３をそれぞれ設置し、前記非常ボタン２には、コントローラ自動通報装置５を介して、電話回線と接続し、最寄りの警察に、音声・音等の手段により通報することを特徴とする。【選択図】図１
0003103487.tif 000002
【実用新案登録請求の範囲】
【請求項１】
店舗（１）内のレジ・カウンター等、店員あるいは従業員の作業位置近傍であって、客よりかくれた位置に設置する、一または複数個の非常ボタン（２）と、犯罪発生時に、非常ボタンにて通報済みを知らせる表示灯（３）と、集音マイク（４）をそれぞれ設置し、前記非常ボタン（２）には、電話回線と接続し、地域部通信指令室に、音声・音等の手段により通報するコントローラ自動通報装置（５）とを装備したことを特徴とする非常事態の通報装置。
【考案の詳細な説明】
【技術分野】
【０００１】
この考案は、非常事態の通報装置に関するものである。
【背景技術】
【０００２】
従来より、例えば、コンビニエンス・ストアー（以下、単に、コンビニという）、スーパー・マーケット、遊戯場等の景品交換所等の店舗内において、金銭に絡む強盗事件や人身に関係する傷害事件等の犯罪が多発している。
【０００３】
そして、これらの事件が店内で発生した場合には、迅速に、電話機にて１１０番通報を行ったり、また、民間の警備会社と契約している店舗の場合には、非常時には、自動的あるいは通報により警備会社を介して連絡をしている。
【０００４】
しかし、この電話機では、凶器をもって脅されたり、手足を縛られたりして、物理的に通話ができない状態も、十分考えられる。また、後者の場合には、被害の状況を確認して警察に通報するものであり、迅速な保護には成り得なかった。
【０００５】
さらに、近年、コンビニにＡＴＭ装置（現金引き出し装置）が設置されるようになり、益々、犯罪事件が多発することが予測されるものである。
【０００６】
それに対して、このような事件の発生を予防・防止するために、金融機関と同様に、コンビニにおいても、一定の要件を満たし、設置者が申請を行うことにより、警察に直接、非常通報を行い連絡できるようになった。
【考案の開示】
【考案が解決しようとする課題】
【０００７】
そこで、この考案は、犯人の気ずかない状態で誤作動を避け、現場の状況が警察に確実に確認でき、かつ通報できる装置の開発が必要であり、社会生活の安全を守ることが望ましい。
【課題を解決するための手段】
【０００８】
この考案は、店舗（１）内のレジ・カウンター等、店員あるいは従業員の作業位置近傍に、かくれて非常ボタン（２）を一または複数個と、犯罪発生時に、非常ボタンにて通報済みを知らせる表示灯（３）、集音マイク（４）をそれぞれ設置し、前記非常ボタン（２）には、コントローラ自動通報装置（５）を介して、最寄りの官憲に、音声・電話番号等の手段により通報することを特徴とする非常通報装置からなるものである。
【考案の効果】
【０００９】
この考案によると、非常ボタン（２）を押すことにより、予め電話回線に接続しているコントローラ自動通報装置（５）を介して、警察に通報できるものであり、効果を奏する。
【考案を実施するための最良の形態】
【００１０】
この考案の一実施例を図面に従って詳述すると、店舗（１）内のレジ・カウンター等、店員あるいは従業員の作業位置近傍であって、かくれた位置に、非常ボタン（２）を一または複数個と、犯罪発生時に、非常ボタンにて通報済みを知らせる表示灯（３）、集音マイク（４）をそれぞれ設置し、前記非常ボタン（２）には、コントローラ自動通報装置（５）を介して、電話回線と接続し、最寄りの警察に、音声・音等の手段により通報することを特徴とする非常事態の通報装置からなるものである。
【００１１】
尚、店舗（１）を図面においては、一実施例として、コンビニの店舗を示したが、これに限定されることはない。出入口用のドア（Ｘ）を設け、店舗（１）内は、事務所ブース（Ｙ）と店（Ｚ）に別れており、店（Ｚ）には商品の陳列棚（Ｇ）が複数列設けられており、また、買い物客が清算するレジスターを置いたカウンター（以下、レジカウンターという）（Ｈ）を一又は、複数設けている。
【００１２】
また、非常ボタン（２）は、レジカウンター（Ｈ）の下など目立たない箇所、即ち，犯人の気づかない箇所に設置する必要があり、カバーを押しやぶり、ボタンを押すものである。また、ボタンを引き戻すだけで、復帰するものである。
【００１３】
そして、集音マイク（４）を、レジカウンター付近に設置するため、現場の状況が確実に把握できる。
【００１４】
また、コントローラ自動通報装置（５）にも、マイクは内蔵されており、該通報装置の周囲の状況（音あるいは声）を確認できるものである。通報中は通報装置の画面に通報マークが点灯し、音声にて送信するか、また、電話回線は電話番号通知設定して送信する。
【産業上の利用可能性】
【００１５】
この考案は、非常事態の通報装置を開発、提供することにより、コンビニ等の店舗内に警報装置の設置技術並びに使用方法を確立し、かつ寄与する点で、産業上の利用可能性を有する。
【図面の簡単な説明】
【００１６】
【図１】この考案の一実施例を示す平面図である。
【図２】この考案の一実施例を示す説明図である。
【符号の説明】
【００１７】
１  店舗
２  非常ボタン
３  非常灯
４  集音マイク
５  コントローラ自動通報装置
Ｘ  出入口用のドア
Ｙ  事務所ブース
Ｚ  店
Ｇ  陳列棚
Ｈ  レジカウンター
【図１】
0003103487.tif 000003
【図２】
0003103487.tif 000004
(57)【要約】【課題】  本考案は、各種の用途を有する食器具に関するもので、特に衛生面に配慮した食器具に関するものである。【解決手段】  本考案に係る食器具は、任意形状に成る柄部１と掬い部２との中間部に下方向に曲折形成した屈曲部４を設けて成るものである。前記掬い部には無数の凸凹面を形成しているものである。また、前記掬い部の凸凹面がダブルエンボス面３を形成しているものである。さらに、本考案は、納豆撹拌具において構成するものである。【選択図】    図３
0003103161.tif 000002
【実用新案登録請求の範囲】
【請求項１】
任意形状に成る柄部と掬い部との中間部に下方向に曲折形成した屈曲部を設けて成ることを特徴とする食器具。
【請求項２】
任意形状に成る柄部と掬い部との中間部に下方向に曲折形成した屈曲部を設け、前記掬い部に無数の凸凹面を形成して成ることを特徴とする食器具。
【請求項３】
掬い部の無数の凸凹面がダブルエンボス面に成る請求項２に記載した食器具。
【請求項４】
任意形状に成る柄部と掬い部との中間部に下方向に曲折した屈曲部を設けて成ることを特徴とする納豆撹拌具。
【請求項５】
任意形状に成る柄部と掬い部との中間部に下方向に曲折した屈曲部を設け、前記掬い部に無数の凸凹面を形成して成ることを特徴とする納豆撹拌具。
【請求項６】
掬い部の無数の凸凹面がダブルエンボス面に成る請求項５に記載した納豆撹拌具。
【考案の詳細な説明】
【技術分野】
【０００１】
本考案は、各種の用途を有する食器具に関するもので、特に衛生面に配慮した食器具に関するものである。
【背景技術】
【０００２】
本考案の出願人は、しゃもじについて意匠登録第１１１６８６７号のごとき形状の創作をしているが、このしゃもじには把柄部と掬い部との下側中間部に若干の突起を設けたものであったから、食卓に置くことができるだけであり、立上げて保持しておくことができるものではなかった。
【０００３】
【特許文献１】意匠登録第１１１６８６７号公報
【考案の開示】
【考案が解決しようとする課題】
【０００４】
そこで、本考案は、各種の食器具について、その不使用時においては衛生的な保持ができるものを提供することを目的とするものである。
【課題を解決するための手段】
【０００５】
本考案に係る食器具は、任意形状に成る柄部と掬い部との中間部に下方向に曲折形成した屈曲部を設けて成るものである。
【０００６】
また、前記掬い部には無数の凸凹面を形成して成るものである。
【考案の効果】
【０００７】
第１に、不使用時には屈曲部を卓上に接して置いたり、椀などの食器の周縁部に確実に掛け止めておくものであるから、掬い部を常に衛生上きわめて良好な状態に保持しておくことができる。
【０００８】
第２に、本食器具を納豆撹拌用の器具として構成するものにあっては、撹拌時に適度な抵抗力が発揮されるから、空気をよく取り込みながら簡単かつ確実に粘り度の発生を増大せしめることができ、旨味の成分であるポリグルタミン酸を増殖することになるから、食感がきわめて良好になる。
【０００９】
これらの効果は、あたかも割り箸を使って撹拌する場合と同じである。
【００１０】
第３に、粘ついた納豆を掬い上げて飯椀などに移すときも、納豆が掬い部に付着することはなく、全部を確実に落下させることができる。
【考案を実施するための最良の形態】
【００１１】
いま本考案器具を納豆用に構成して使用するときは、器物上に盛った納豆内に掬い部を入れてよく撹拌した後、これを飯椀などに移せばよい。その後は柄部と掬い部を裏返し、その中間の屈曲部を前記器物の縁部に掛けておけばよい。
【００１２】
本器具を卓上に置くときは、掬い部を上向きにしておけば、屈曲部の裏面側が卓上に接地するから、掬い部は浮上状態を保持することができ、卓上に接することはない。
【実施例】
【００１３】
１は柄部で、その形状は任意である。
【００１４】
２は前記柄部１と一体に成る任意形状の掬い部で、この掬い部の全面には比較的大きい凸凹面に加えてしぼ面を形成したダブルエンボス面３を形成して成る。
【００１５】
４は前記柄部１と掬い部２との中間部に下方向に側面Ｖ形に曲折して形成した屈曲部で、このＶ形状はＵ形状に形成してもよい。
【００１６】
ａは椀である。
【図面の簡単な説明】
【００１７】
【図１】一例の全体の斜視図
【図２】他例の全体の斜視図
【図３】他他例の全体の斜視図
【図４】図３例の中央部縦断面図
【図５】図３例についての使用例を示す。
【符号の説明】
【００１８】
１                柄部
２                掬い部
３                ダブルエンボス面
４                屈曲部
【図１】
0003103161.tif 000003
【図２】
0003103161.tif 000004
【図３】
0003103161.tif 000005
【図４】
0003103161.tif 000006
【図５】
0003103161.tif 000007
(57)【要約】【課題】摩擦材と洗剤が一体となり、かつ使い捨て式でも浪費とならない洗浄具を提供する。【解決手段】皮膚を擦るに適した硬さであり、かつ空隙を有する摩擦材と、摩擦材の表面の少なくとも一部に塗布された洗剤とからなっている。摩擦材は、好ましくはメッシュ、空隙を多く有する織物、スポンジ、あるいはこれらの組合わせである。洗剤は、好ましくは摩擦材表面に膜状に塗布された石鹸であり、例えば摩擦材１の表面にノズル２によって洗剤３を噴出させて固着させることができる。【選択図】図３
0003103168.tif 000002
【実用新案登録請求の範囲】
【請求項１】
皮膚を擦るに適した硬さであり、かつ空隙を有する摩擦材と、前記摩擦材の表面の少なくとも一部に塗布された洗剤とからなることを特徴とする洗浄具。
【請求項２】
前記摩擦材は、メッシュ、空隙を多く有する織物、スポンジ、あるいはこれらの組合わせであることを特徴とする請求項１記載の洗浄具。
【請求項３】
前記洗剤は、前記摩擦材表面に膜状に塗布された石鹸であることを特徴とする請求項１に記載の洗浄具。
【考案の詳細な説明】
【技術分野】
【０００１】
本考案は、洗浄具に関し、特に表層に洗剤を含む使い捨て式の洗浄具に関するものである。
【背景技術】
【０００２】
洗浄に使用される洗浄用具は、スポンジなど洗浄対象物を擦る摩擦材と洗剤が別々になっており、使用時にまず、摩擦材に水分をかけ、それから洗剤を加えて軽く揉んで泡を発生させた後に、洗浄に使用されるのが普通である。そこで、洗浄する前あるいは途中で洗剤を加える煩わしさをなくすため、例えば、石鹸をスポンジで包み込んだ石鹸付き洗浄具〔特許文献１参照〕、合成樹脂製の袋に洗剤を入れ、その外側をスポンジ、さらに網袋で包んだ構造の洗剤入り袋を備えた台所用スポンジ〔特許文献２参照〕、洗浄スポンジと洗剤容器とを合体させた洗剤付きスポンジ（特許文献３参照）など摩擦材と石鹸を一体化されたものが提案されている。
【０００３】
しかし、このような構造では製造コストが高くなり実用上の制限がある。比較的小型で、かつ安価に製造できるものとして、“引き裂き可能な繊維を有する石鹸”が提案〔特許文献４参照〕された。この提案に依れば、図１に示すように比較的簡単に引き裂くことができる繊維体を洗剤に入れて固化させた繊維塊を有する石鹸であり、洗浄時には、単に水に濡らして擦ればよい。外部に突出する繊維糸によって洗浄対象物を擦って汚れを落すと共に、石鹸を繰り返し取り出して洗浄用具につける面倒さをなくすことができる。また、石鹸成分が消耗したときは、繊維が多く突出すことになるので、過剰の繊維は引き裂けばよい。このように石鹸が消耗したとき余分な繊維を簡単に除けるので、繊維に対して石鹸成分が少なくなることがなく使用上便利である。しかし、ホテルなどでは個人用の洗浄具として提供する場合、一度に全部使い終わることがないことが多く、衛生上の観点から繰り返し使用しないことを鑑みれば、結局、使い終わらないで廃棄することになり無駄を招くことになる。
【０００４】
【特許文献１】特開平８−８４６８４号公報
【特許文献２】特開２００２−３４８８６号公報
【特許文献３】実用新案登録第３０３３７７０号公報
【特許文献４】台湾公告第１７２８９７号公報
【考案の開示】
【考案が解決しようとする課題】
【０００５】
本考案の目的は、摩擦材と洗剤が一体となり、かつ使い捨てしても大きな浪費とならない洗浄具を提供することにある。
【課題を解決するための手段】
【０００６】
上記の目的を達成すべく、本考案の請求項１の洗浄具は、皮膚を擦るに適した硬さであり、かつ空隙を有する摩擦材と、摩擦材の表面の少なくとも一部に塗布された洗剤とからなっている。
【０００７】
請求項２は請求項１記載の洗浄具について、摩擦材は、メッシュ、空隙を多く有する織物、スポンジ、あるいはこれらの組合わせである。
【０００８】
請求項３は請求項１記載の洗浄具について、洗剤は、摩擦材表面に膜状に塗布された石鹸である。
【考案の効果】
【０００９】
本考案の洗浄具は、使用するに簡単であり、かつ少量使用に適して無駄を少なくできる。
【考案を実施するための最良の形態】
【００１０】
添付図面を参照しながら本考案の好適な実施の形態を詳細に説明する。以下の説明は、本考案を説明するためのものであり、本考案を制限するものではない。
【００１１】
図２は、本考案の例として洗剤を塗布する際の状況を示す説明図であり、図３は、本考案の実施の形態を示す説明図である。本考案の洗浄具４は、摩擦材１と洗剤３とからなっている。摩擦材１は、皮膚を擦るに適した硬さであり、かつ空隙のある材料である。ここで、皮膚を擦るに適した硬さとは、本考案の洗浄具４で皮膚を擦って皮膚上の汚れを除くことができ、かつ皮膚に快適なマッサージ感を与える程のものである。また、空隙のある材料とは、その空隙に水、特に洗剤の混合された水を保ちうるもので、具体的には、メッシュ、空隙を多く有する織物、スポンジ、あるいはこれらを組合わせたものである。摩擦材１の材料は、特に限定するものではないが、例えばナイロン、ポリエステル、ポリウレタン、木綿、麻などである。摩擦材１は、全体が均質のものであってもよく、あるいは皮膚を擦るに適した硬さの材料と空隙のある材料とが組合わされて一体化されたものであってもよい。
【００１２】
本考案の摩擦材１は、その表面の少なくとも一部に洗剤３が塗布される。洗剤３は、石鹸あるいは合成の界面活性剤であり、室温で固体状あるいは高粘度液体であるものが好ましい。洗剤３の塗布方法は、本考案では限定するものではないが、例えば図２に示したように、摩擦材１の表面にノズル２によって洗剤３を噴出させることができる。洗剤３は、室温で固体状あるいは高粘度液体のものでは、加温することによりノズルから噴出できる程度になる。洗剤３の塗布は、摩擦材１の全表面であってもよいが、部分的であっても本考案お目的は充分に達せられる。
【００１３】
本考案の洗浄具４を使用するには、水をかけ、そのまま揉むと直ちに洗剤３による泡が発生し、洗浄を開始できる状態になる。しかも、洗剤３が一回の使用に充分な量を含んでいるので、使い捨て式の物品として利用しても大した浪費を招かない。従って、ホテルの客室に備えるなど、限られた用途において適したものである。
【００１４】
本考案の洗浄具は、必要により表面に商品名、使用方法、会社名などを印刷した紙あるいはプラスチックで包装し、末端使用者に供給できる。
【産業上の利用可能性】
【００１５】
本考案により、使用に充分な洗剤を提供し、かつ“使い捨て”しても浪費を招かない経済的な洗浄具が実現できる。
【図面の簡単な説明】
【００１６】
【図１】従来例である特許文献４における“引き裂き可能繊維を有する石鹸”の説明図である。
【図２】本考案の洗剤を塗布する状況を示す説明図である。
【図３】本考案の実施の形態を示す説明図である。
【符号の説明】
【００１７】
１：摩擦材
２：ノズル
３：洗剤
４：洗浄具
【図１】
0003103168.tif 000003
【図２】
0003103168.tif 000004
【図３】
0003103168.tif 000005
(57)【要約】【課題】  葉もの野菜栽培に適したポリシートの考案である。【解決手段】  ホーレン草や小松菜に対して適正な株間を設けるために直径３ｃｍ程の穴を９ｃｍ間隔で整列して開孔する。そしてこの穴に種を蒔くことによって間引きの必要もなく、シートＰがあるため除草作業が不要であり、保温、保湿も十分で成育を早め収穫ができる。【選択図】  図２
0003103160.tif 000002
【実用新案登録請求の範囲】
【請求項１】
ポリシートＰに多数の小孔（１）を整列して開孔したことを特徴とした野菜栽培用シート。
【考案の詳細な説明】
【技術分野】
【０００１】
本考案は、ホーレン草や小松菜等の葉もの野菜栽培用の保護シートに関する。
【背景技術】
【０００２】
ホーレン草や小松菜などの葉もの野菜の栽培に当っては、畑に畝を作り、この上に種を播いて成育を見ながら除草・間引き等の作業を行い収穫をしている。
【０００３】
またナスやトマト等の実物野菜については、畝にシートを張って、この畝の中央に直線的に間隔をおいてシートを破りながら植付け機を使用して苗を植付ける作業がとられている。
【特許文献１】特開平８−３０３０６２号公報
【考案の開示】
【考案が解決しようとする課題】
【０００４】
前記のように、葉もの野菜の育成にあたっては、株間の間引きや、除草作業等の管理作業が必須であって、手間がかかるばかりか、除草剤や病虫害に対しての薬剤の散布が必要とされている。
【課題を解決するための手段】
【０００５】
考案者は、永年農作業に従事し、この農業用シートに研究を重ねた結果本考案に到達したものであって、本考案は、ポリシートＰに小孔（１）を整列して設け、このポリシートＰを畝上に被覆した後、この小孔部から種を蒔いて育成するものである。
【考案の効果】
【０００６】
前述のように、本考案のシートＰは、小孔を整列的に設け、この孔を通して種を蒔くことによって、生育して株の間隔がとれ、葉もの野菜の成長を促し、除草や間引きの手間が省けるという、従来の保護シートには見られない卓越した効果を奏する。
【考案を実施するための最良の形態】
【０００７】
図２に示すように畝上に本考案のポリシートＰを全体に覆せ、小孔（１）から種を１〜２粒蒔くことにより、除草や間引き作業が無くなり、農薬の散布が少なくなる等畑の管理が軽減されることとなる。
【実施例】
【０００８】
添付図面により本考案の農業用保護シートを説明すると、図１はポリシートＰの一部を示す平面図であって、このシートは通常ポリビニール製のシートであるが、本書においては略してポリシートＰとする。このポリシートＰには多数の小孔（１）を整列状に開孔されている。
【０００９】
この小孔（１）の大きさは、ホーレン草や小松菜の場合は直径約３ｃｍ程度が適当であり、開孔の間隔は９ｃｍ程度とする。従って、幅９０ｃｍのシートの場合、これを畝上に覆って両側を土中に埋める幅を両側に約２０ｃｍ余裕をとると、幅方向に７個とり、長さ方向にも９ｃｍ間隔で設けることとする。但しこれは例であって、適性間隔については作
物によってこれからの課題となろう。
【００１０】
作業に当っては、畑に畝を作り、シートＰを張り、シートＰに開孔されている小孔（１）から種を１〜２粒ずつ蒔いて、この上から土を被せることとする。この土は周囲の畑土でもよいが、市販の黒土を使用する方が作業が仕易く発芽も早いようである。また後日発芽を見ない個所があればそこへ蒔き直すこともできる。
【産業上の利用可能性】
【００１１】
本考案の保護シートＰを使用した場合、小孔（１）に対して種を順々に蒔くため多少時間が掛かるが、除草や間引きの作業が省略でき、シートを設けることによって保温、保湿効果があり、過密性もなく葉もの野菜の栽培に適しているため利用度は大きい。
【図面の簡単な説明】
【００１２】
【図１】シートＰの一部を示す平面図
【図２】畝に用いた実施例図
【符号の説明】
【００１３】
１  小孔
Ｐ  ポリシート
【図１】
0003103160.tif 000003
【図２】
0003103160.tif 000004